(57)【特許請求の範囲】
【請求項１】
ルーバー本体の背面に設けたフィルタケースを、フィルタケース本体と、フィルタと、このフィルタを前記フィルタケース本体に脱着するフィルタカバーからなるものとして、該フィルタカバーをフィルタケース本体から取り外す時に該フィルタカバーにフィルタの周面に食い込む係止爪を設けたことを特徴とする電気機器用収納箱のルーバー装置。
【請求項２】
フィルタカバーに設けたフィルタの周面に食い込む係止爪を、フィルタカバーをフィルタケース本体から取り外す時に係止爪の背面に設けた突起部をフィルタケース本体の側板に設けた凹部から離脱させて該側板に押圧させて自動的に食い込むものとした請求項１に記載の電気機器用収納箱のルーバー装置。
【発明の詳細な説明】
【技術分野】
【０００１】
本発明は、塵埃や雨等の侵入を防ぐためフィルタを設けた電気機器用収納箱のルーバー装置に関するものである。
【背景技術】
【０００２】
電気機器用収納箱のルーバー装置に設けたフィルタは、定期的にフィルタケースから取り外して清掃したり交換する必要がある。このフィルタをフィルタケースから取り外すにはフィルタカバーをケース本体から外した後にフィルタを手指で摘んで取り除くものであった（例えば、特許文献１参照）。
【０００３】
ところが、フィルタカバーを外した後にフィルタを手指で摘んでフィルタケースから取り除くのは面倒であり、特に、塩害用フィルタのように厚みがあり周面にウレタンフォーム等からなるパッキン材で覆ったものでは、このパッキン材がフィルタケースに密着してとり取り外し難いものであった。
【特許文献１】特開２００７−３０５８８５号公開公報（特に、図４、図５）
【発明の開示】
【発明が解決しようとする課題】
【０００４】
本発明は前記のような従来の問題点を解決して、フィルタをフィルタカバーから外すと同時に容易に取り外しができる電気機器用収納箱のルーバー装置を提供する。
【課題を解決するための手段】
【０００５】
本発明の電気機器用収納箱のルーバー装置は、ルーバー本体の背面に設けたフィルタケースを、フィルタケース本体と、フィルタと、このフィルタを前記フィルタケース本体に脱着するフィルタカバーからなるものとして、該フィルタカバーをフィルタケース本体から取り外す時に該フィルタカバーにフィルタの周面に食い込む係止爪を設けたことを特徴とするものである。
【０００６】
そして、この発明において、フィルタカバーに設けたフィルタの周面に食い込む係止爪を、フィルタカバーをフィルタケース本体から取り外す時に係止爪の背面に設けた突起部をフィルタケース本体の側板に設けた凹部から離脱させて該側板に押圧させて自動的に食い込むものとすることが好ましいものである。
【発明の効果】
【０００７】
前記した本発明の電気機器用収納箱のルーバー装置は、フィルタカバーをフィルタケース本体から取り外す時に該フィルタカバーにフィルタの周面に食い込む係止爪を設けたものである。これにより、フィルタをフィルタケース本体から外す場合には、フィルタカバーをフィルタケース本体から取り外すことにより該フィルタカバーに設けた係止爪がフィルタの周面に食い込んでフィルタをフィルタカバーと共にフィルタケース本体に取り残すことなく取り外すことができるものである。
【０００８】
また、フィルタカバーに設けたフィルタの周面に食い込む係止爪を、フィルタカバーをフィルタケース本体から取り外す時に係止爪の背面に設けた突起部をフィルタケース本体の側板に設けた凹部から離脱させて該側板に押圧させて自動的に食い込むものとすると、フィルタカバーをフィルタケース本体から取り外す一動作によりフィルタカバーに設けた係止爪がフィルタの周面に食い込んでフィルタカバーと共にフィルタをフィルタケース本体から容易に取り外すものである。
【発明を実施するための最良の形態】
【０００９】
次に、本発明の電気機器用収納箱のルーバー装置を図に基づいて説明する。
図１は本発明の電気機器用収納箱のルーバー装置の全体を示す断面図である。この図1において、１は電気機器用収納箱１００の換気孔１０１に取り付けたルーバー本体である。このルーバー本体１はこの実施形態では、前方に周面に雄ねじ１１ａを設けた短筒部１１ｂに形成したうえ後端周縁に四角枠状の取付フランジ部１１ｃを設けた取付本体１１と、前記電気機器用収納箱１００の内側から換気孔１０１に嵌合した取付本体１１の短筒部１１ｂの雄ねじ１１ａに螺合して取付本体１１を換気孔１０１に取付けるナット部材１２と、取付本体１１の前面を覆うルーバー板１３よりなるものである。
【００１０】
そして、前記ルーバー本体１の背面すなわち取付本体１１の背面にはフィルタケース２がねじ止めして設けられている。このフィルタケース２は、フィルタケース本体３と、フィルタ４を前記フィルタケース本体３に脱着するフィルタカバー５からなるものとしている。フィルタケース本体３は、図２に及び図１５に示すように通気口を形成した四角状の前枠部３０の周囲背部に上下側板３１，３１と左右側板３２、３２を張設して背面を開口部に形成した四角枠状としたものである。
【００１１】
また、フィルタ４を前記フィルタケース本体３に脱着するフィルタカバー５は、通気口を形成したカバー本体５０の下方前方に下側板部５１を張設するとともに両側前方に前記フィルタケース本体３の左右の側板３２、３２の内面に当接する左右の側板部５２、５２を張設したものである。そして、フィルタカバー５にフィルタ４を取り付けたうえ前記フィルタケース本体３にフィルタ４を脱着するものである。
【００１２】
また、フィルタカバー５には図４−図６に示すようにフィルタケース本体３から取り外す時にフィルタ４の周面に食い込む係止爪６を設けている。この係止爪６はフィルタカバー５の左右の側板部５２、５２の先端から設けた２つの切込５２ａ、５２ａの間に形成されている板片よりなるものとしている。そして、該係止爪６は図５に示すようにフィルタカバー５がフィルタケース本体３に装着した状態にあるときは係止爪６の先端側の背面に設けた突起部６１をフィルタケース本体３の側板３２に設けた抜き孔よりなる凹部３２ａに嵌合して係止爪６をフィルタ４の周面に食い込むことないものとしている。
【００１３】
そして、フィルタカバー５をフィルタケース本体３から取り外す時には係止爪６の突起部６１が凹部５２ａから強制的に抜け出てフィルタケース本体３の側板３２の内面に乗り上げて、係止爪６を弾性変形させて係止爪６の先端側が該側板３２の内面に押圧されてフィルタ４の周面に自動的に食い込むものとしている。これにより、フィルタ４がフィルタカバー５と共にフィルタケース本体３から容易に取り外すことができるものである。
【００１４】
また、図示の係止爪６のように先端内面にフィルタ４を係止する係止凸部６２を設けたものにあっては、図示したフィルタ４のように不織布を蛇腹状に折畳んだフィルタ本体４０の周面をウレタンフォーム等からなるパッキン材４１で覆ったものにおいてパッキン材４１に食い込んで適したものである。なお、この凸部６２はフィルタカバー５がフィルタケース本体３に装着されている時にも僅かにフィルタ４の周面に食い込んでいるが、必須のものではなく、本発明では少なくともフィルタカバー５をフィルタケース本体３か取り外す時にファイルカバー５にフィルタ４の周面に食い込む係止爪６を設けたものである。
【００１５】
また、フィルタ４を前記フィルタケース本体３に脱着するフィルタカバー５をフィルタケース本体３に装着する手段としては、図示の実施形態では２軸のヒンジ機構により開閉できるものとしているが、フィルタカバー５をフィルタケース本体３に着脱自在なものとしても、また、１軸のヒンジ機構により開閉できるものとしてよいものである。
【００１６】
次に、前記実施形態の２軸のヒンジ機構を具体的に説明する。
図７に示すように、フィルタカバー５の側板部５２の外面に下方基端よりに第１ガイドピン５４を突設して、また、該第１ガイドピン５４の上方で先端よりに第２ガイドピン５５を突設している。
【００１７】
そして、フィルタケース本体３の側板３２の下方に、下端をフィルタケース本体３の開口部寄りに位置させてフィルタケース本体３の前枠部３０側にやや傾斜させた直線状ガイド溝部３４ａの上端にフィルタケース本体３の前枠部３０側に上向きに鈍角で屈曲させた下向き円弧の円弧状ガイド溝部３４ｂより構成したく字状の第１ガイド溝３４を設け、該第１ガイド溝３４に前記第１ガイドピン５４を枢動と摺動できるように係合している。
【００１８】
また、く字状の第１ガイド溝３４の上方に、下端を第１ガイド溝３４の円弧状ガイド溝部３４ｂの先端よりもフィルタケース本体３の前枠部３０側寄りとした上向き円弧の円弧状ガイド溝部３５ｂの上端に開口側上方に鈍角で屈曲させた直線状ガイド溝部３５ａにより構成したく字状の第２ガイド溝３５を設けられており、該第２ガイド溝３５に前記第２ガイドピン５５を枢動と摺動できるように係合している。
【００１９】
そして、前記フィルタカバー５がフィルタケース本体３内に収納された状態において、第１ガイドピン５４が第１ガイド溝３４の直線状ガイド溝部３４ａの下端に位置して、第２ガイドピン５５は第２ガイド溝３５の円弧状ガイド溝部３５ｂの下端に位置するものとしている。
【００２０】
また、前記第２ガイド溝３５の円弧状ガイド溝部３５ｂの上向き円弧は第１ガイドピン５４が第１ガイド溝３４の直線状ガイド溝部３４ａの下端に位置してこれを支点に第２ガイドピン５５の回動軌跡となるように構成されている。
【００２１】
そうすると、フィルタカバー５の上方を外側に引いた図８に示す第１段階では、第１ガイドピン５４を支点に第２ガイドピン５５が第２ガイド溝３５の円弧状ガイド溝部３５ｂの範囲内で摺動してフィルタカバー５を開方向に回動する。この場合に、前記したフィルタカバー５に設けた係止爪６の先端側の背面に設けた突起部６１がフィルタケース本体３の側板３２に設けた凹部３２ａから強制的に抜け出てフィルタケース本体３の側板３２の内面に乗り上げて、係止爪６を弾性変形させて係止爪６の先端側が該側板３２の内面に押圧されてフィルタ４の周面に自動的に食い込むものとなる。
【００２２】
続けて、フィルタカバー５の上方を外側にさらに引けば、図９に示す第２段階において第２ガイドピン５５は第２ガイド溝３５の円弧状ガイド溝部３５ｂと直線状ガイド溝部３５ａとの変曲点を超えて直線状ガイド溝部３５ａの上方に向け摺動する。この場合に同時に第１ガイドピン５４も第１ガイド溝３４の直線状ガイド溝部３４ａの下端から上方に摺動して、第１ガイドピン５４と第２ガイドピン５５を支点にフィルタカバー４をさらに開方向に回動させることなる。
【００２３】
このように、第２ガイドピン５５が第２ガイド溝３５の直線状ガイド溝部３５ａの上端に達するとともに、第１ガイドピン５４が第１ガイド溝３４の直線状ガイド溝部３４ａと円弧状ガイド溝部３４ｂとの変曲点に達した状態となる。そこで、図１０に示すようにフィルタカバー５の上方を外側に引けば、第２ガイド溝３５の直線状ガイド溝部３５ａの上端に達した第２ガイドピン５５を支点に第１ガイドピン５４が第１ガイド溝３４の円弧状ガイド溝部３４ｂの範囲内で摺動して、フィルタカバー５がさらに回動して拡開することなる。この場合に、フィルタカバー５に設けた係止爪６の先端側の背面に設けた突起部６１が側板３２の内面から解放された状態となるので、係止爪６の先端側がフィルタ４の周面への食い込みを解除されているのでフィルタ４をフィルタカバー５から容易に取り外すことができるものである。
【００２４】
なお、第１ガイド溝３４の円弧状ガイド溝部３４ｂの円弧は第２ガイドピン５５が第２ガイド溝３５の直線状ガイド溝部３５ａの上端を支点とした場合の回動軌跡となるものとしていることは勿論である。
【００２５】
前記したように、フィルタカバー５をフィルタケース本体３の開口部に装着する手段を、フィルタカバー５の側板部５２の下方外面に突設した第１ガイドピン５４と第２ガイドピン５５を、フィルタケース本体３の側板部３２に設けたく字状の第１ガイド溝３４と第２ガイド溝３５に枢動と摺動をできるように係合させて装着したものを採用することにより、図１１−図１４に示すようにルーバー装置を電気機器用収納箱の上方に取り付けてフィルタカバー５を下側から開くようにフィルタケース３をルーバー本体に上下逆にして取り付けた場合に、カバー５を開いた状態を保持してフィルタ４の取り外し取り付けができるものである。
【００２６】
すなわち、フィルタカバー５が前記図７−図１０と同様の動作過程を経る図１１−図１４の手順を踏んで図１４に示す状態で拡開する。そうすれば、第１ガイドピン５４が下端位置となっている第１ガイド溝３４の円弧状ガイド溝部３４ｂの先端に、第２ガイドピン５５が下端位置となっている第２ガイド溝３５の直線状ガイド溝部３５ａの上端に位置して、第１ガイドピン５４が第２ガイドピン５５の上方でフィルタケース本体３の前枠部３０側よりとしてフィルタカバー５を開状態となる。第１ガイドピン５４と第２ガイドピン５５がこのような位置となることにより、フィルタカバー５の重心により第１ガイドピン５４と第２ガイドピン５５に加わる力の向きがかみ込むように作用して開状態を保持することとなるので、フィルタ交換時にフィルタカバー５を手で保持する必要がないので作業性よいものである。特に高さの高い電気機器用収納箱の上方に取付けるものにあって効果的である。
【００２７】
また、フィルタケース本体３の第１ガイド溝３４と第２ガイド溝３５にフィルタカバー５の第１ガイドピン５４と第２ガイドピン５５を着脱自在に嵌合する手段として、フィルタケース本体３の側板３２の内面に開口部端面から第１ガイド溝３４と第２ガイド溝３５の縁部近傍に達する浅溝３４ｃ、３５ｃを第１ガイドピン５４と第２ガイドピン５５が同時に嵌合できる位置からずらして設けて、嵌合作業及び取外作業を容易なものとしたうえ不用意にフィルタカバー５がフィルタケース本体３から外れることのないものとしている。
【００２８】
すなわち、図１６に示すように、先ず、一方すなわち第１ガイドピン５４を浅溝３４ｃの位置に合わせる。そして、第１ガイドピン５４を第１ガイド溝３４に嵌合した後に第１ガイドピン５４を第１ガイド溝３４内を摺動させて、図１７に示すように第２ガイドピン５５を浅溝３５ｃの位置に合わせて第２ガイド溝３５に嵌合することによりフィルタケース本体３にフィルタカバー５を開閉自在に取り付けることができるものである。
【００２９】
そうすると、第１ガイドピン５４と第２ガイドピン５５は嵌合した第１ガイド溝３４と第２ガイド溝３５内において同時に浅溝３４ｃ、３５ｃに臨む位置とならないので、第１ガイドピン５４と第２ガイドピン５５のどちらか一方が浅溝３４ｃ、３５ｃに位置して外れることがあっても他方は外れることがないので、不用意にフィルタカバー５がフィルタケース本体３から外れることないものである。
なお、ルーバー本体１とフィルタケース本体３との取付は、図２に示すようにフィルタカバー５が開状態の時に行うことができるもので、特にガイド溝がある側のねじ締めは、図１０に示すようにフィルタケース本体３とフィルタカバー５との間で行うことができるので、作業時にフィルタカバー５を取り外さなくともよいものである。
【図面の簡単な説明】
【００３０】
【図１】本発明の実施形態を示す断面図。
【図２】本発明の実施形態を分解して示す斜視図。
【図３】本発明の実施形態に使用するフィルタケースを示す斜視図。
【図４】本発明の実施形態に使用するフィルタケースのカバーを開いて示す斜視図。
【図５】本発明の実施形態に使用するフィルタケースの要部の断面図。
【図６】本発明の実施形態に使用するフィルタケースの要部の態様を異にして示す断面図。
【図７】本発明のルーバー装置を電気機器用収納箱の下方に取り付けた実施形態において、フィルタケースのカバーを閉じた状態で示す斜視図。
【図８】本発明のルーバー装置を電気機器用収納箱の下方に取り付けた実施形態において、フィルタケースのカバーを開く過程の第１段階の状態で示す斜視図。
【図９】本発明のルーバー装置を電気機器用収納箱の下方に取り付けた実施形態において、フィルタケースのカバーを開く過程の第２段階の状態で示す斜視図。
【図１０】本発明のルーバー装置を電気機器用収納箱の下方に取り付けた実施形態において、フィルタケースのカバーを開いた状態で示す斜視図。
【図１１】本発明のルーバー装置を電気機器用収納箱の上方に取り付けた実施形態において、フィルタケースのカバーを閉じた状態で示す斜視図。
【図１２】本発明のルーバー装置を電気機器用収納箱の上方に取り付けた実施形態において、フィルタケースのカバーを開く過程の第１段階の状態で示す斜視図。
【図１３】本発明のルーバー装置を電気機器用収納箱の上方に取り付けた実施形態において、フィルタケースのカバーを開く過程の第２段階の状態で示す斜視図。
【図１４】本発明のルーバー装置を電気機器用収納箱の上方に取り付けた実施形態において、フィルタケースのカバーを開いた状態で示す斜視図。
【図１５】本発明の実施形態に使用するフィルタケース本体とカバーを示す斜視図。
【図１６】本発明の実施形態に使用するフィルタケース本体にカバーを装着する工程を示す斜視図。
【図１７】本発明の実施形態に使用するフィルタケース本体にカバーを装着する工程を示す斜視図。
【符号の説明】
【００３１】
１  ルーバー本体
２  フィルタケース
３  フィルタケース本体
４  フィルタ
５  フィルタカバー
６  係止爪
32a  凹部
【図１】
0004937187.tif 000002
【図２】
0004937187.tif 000003
【図３】
0004937187.tif 000004
【図４】
0004937187.tif 000005
【図５】
0004937187.tif 000006
【図６】
0004937187.tif 000007
【図７】
0004937187.tif 000008
【図８】
0004937187.tif 000009
【図９】
0004937187.tif 000010
【図１０】
0004937187.tif 000011
【図１１】
0004937187.tif 000012
【図１２】
0004937187.tif 000013
【図１３】
0004937187.tif 000014
【図１４】
0004937187.tif 000015
【図１５】
0004937187.tif 000016
【図１６】
0004937187.tif 000017
【図１７】
0004937187.tif 000018